(57)【要約】【課題】宣伝番組の録画予約を簡単に行うことができるようにする。【解決手段】図３に示すような映像が表示される番組ＣＭが放送されたとき、その映像から、「素敵な宇宙旅行」の番組タイトルを示す情報や「あす  夜  ９じ」の放送開始日時を示す情報が、宣伝番組特定情報として抽出され、その宣伝番組特定情報に基づいて、「あす  夜  ９じ」に放送されるタイトルが「素敵な宇宙旅行」である番組が宣伝番組として特定される。宣伝番組が特定されると、その宣伝番組の録画予約を促す情報（例えば、予約ボタン１Ａ）が、番組ＣＭの映像に重畳して表示される。その表示に対する所定の操作により、宣伝番組の録画予約を設定することができる。本発明は、例えば、テレビジョン受像機に適用できる。【選択図】図３
2008288703.tif 000002
【特許請求の範囲】
【請求項１】
テレビジョン放送の所定の番組の録画予約を制御する情報処理装置において、
番組の音声データまたは映像データから、番組特定情報を抽出する抽出手段と、
前記抽出手段により抽出された前記番組特定情報に基づいて、録画予約する番組を特定する特定手段と、
前記特定手段により特定された前記番組の録画予約を促す情報を提示する提示手段と、
前記特定手段により特定された前記番組の録画予約を受け付ける受付手段と
を備える情報処理装置。
【請求項２】
前記特定手段は、前記番組特定情報が抽出された番組が放送されるチャンネルで放送される番組、前記番組特定情報が抽出された番組が放送されるチャンネルと一定の関係があるチャンネルで放送される番組、または全チャンネルで放送される番組から、録画予約する番組を検索する
請求項１に記載の情報処理装置。
【請求項３】
前記番組特定情報は、放送開始日時を示す放送開始情報を含んで構成されており、
前記特定手段は、前記放送開始情報が示す日時に放送が開始される番組を、録画予約する番組として特定する
請求項１に記載の情報処理装置。
【請求項４】
前記番組特定情報は、番組の内容を示す内容情報をさらに含んで構成されており、
前記特定手段は、前記放送開始情報が示す日時に放送が開始される番組であって、前記内容情報が示す内容を有する番組を、録画予約する番組として特定する
請求項３に記載の情報処理装置。
【請求項５】
前記特定手段は、前記内容情報が示す情報を一定以上含むEPG情報を有する番組を、録画予約する番組として特定する
請求項４に記載の情報処理装置。
【請求項６】
テレビジョン放送の所定の番組の録画予約を制御する情報処理装置の情報処理方法において、
番組の音声データまたは映像データから、番組特定情報を抽出する抽出ステップと、
前記抽出ステップの処理で抽出された前記番組特定情報に基づいて、録画予約する番組を特定する特定ステップと、
前記特定ステップの処理で特定された前記番組の録画予約を促す情報を提示する提示ステップと、
前記特定ステップの処理で特定された前記番組の録画予約を受け付ける受付ステップと
を含む情報処理方法。
【請求項７】
テレビジョン放送の所定の番組の録画予約を制御する情報処理をコンピュータに実行させるプログラムにおいて、
番組の音声データまたは映像データから、番組特定情報を抽出する抽出ステップと、
前記抽出ステップの処理で抽出された前記番組特定情報に基づいて、録画予約する番組を特定する特定ステップと、
前記特定ステップの処理で特定された前記番組の録画予約を促す情報を提示する提示ステップと、
前記特定ステップの処理で特定された前記番組の録画予約を受け付ける受付ステップと
を含む情報処理をコンピュータに実行させるプログラム。
【発明の詳細な説明】
【技術分野】
【０００１】
本発明は、情報処理装置、情報処理方法、並びにプログラムに関し、特に、番組の映像データから番組を特定する情報を抽出し、その情報に基づいて録画する番組を特定することにより、番組の録画予約を簡単に行うことができるようにする情報処理装置、情報処理方法、並びにプログラムに関する。
【背景技術】
【０００２】
テレビジョン放送では、例えば特集番組など、所定の放送番組（以下、宣伝番組と称する）を宣伝する放送（以下、番組ＣＭ（commercial message）と称する）が流れることがある。
【０００３】
この番組ＣＭを視聴し、興味を持った視聴者は、番組ＣＭで紹介された宣伝番組の放送日時にそのチャンネルを選局すれば、その宣伝番組を視聴することができる。また、ビデオレコーダに録画予約して録画し、後から視聴することもできる。
【０００４】
そこで番組予約を受け付けるための予約画面を受け付けるための予約画面を制御する予約制御情報を放送番組のビデオデータ等に多重化して提供し、その情報を用いて録画予約する方法が開発されている（特許文献１参照）。
【特許文献１】特開２００６−５０６７１号公報
【発明の開示】
【発明が解決しようとする課題】
【０００５】
しかしながら、そのような制御情報が多重化されていない場合、宣伝番組の録画予約を行うには、視聴者は以下に示すような操作を行う必要がある。
・番組ＣＭ中の短い時間で、宣伝番組の番組名、放送日時、放送時間などをメモする、もしくは覚える。
・ビデオレコーダの電源を入れる。
・テレビジョン受像機の入力をビデオレコーダに切り替える。
・ビデオレコーダの録画予約画面に入って、放送日時などの情報を基に宣伝番組の録画予約を行う。もしくはビデオレコーダの番組表画面に入って、番組名などの情報を基に宣伝番組を探して録画予約を行う。
・テレビジョン受像機の入力を、宣伝番組を放送するチャンネルに切り替える。
・ビデオレコーダの電源を切る。
【０００６】
なお以上の操作中は番組を視聴することができない。
【０００７】
このように従来においては、番組ＣＭで紹介された宣伝番組の録画予約を行うには、面倒な操作を行う必要がある。その結果、結局ユーザは録画予約を諦めてしまい、宣伝番組を視聴できないことがある。またこのことは、放送局側にとっては、番組ＣＭによる宣伝効果が上がらないことになり、問題となる。
【０００８】
本発明は、このような状況に鑑みてなされたものであり、例えば番組ＣＭで紹介されている宣伝番組の録画予約を簡単に行うことができるようにするものである。
【課題を解決するための手段】
【０００９】
本発明の一側面の情報処理装置は、テレビジョン放送の所定の番組の録画予約を制御する情報処理装置において、番組の音声データまたは映像データから、番組特定情報を抽出する抽出手段と、前記抽出手段により抽出された前記番組特定情報に基づいて、録画予約する番組を特定する特定手段と、前記特定手段により特定された前記番組の録画予約を促す情報を提示する提示手段と、前記特定手段により特定された前記番組の録画予約を受け付ける受付手段とを備える。
【００１０】
前記特定手段は、前記番組特定情報が抽出された番組が放送されるチャンネルで放送される番組、前記番組特定情報が抽出された番組が放送されるチャンネルと一定の関係があるチャンネルで放送される番組、または全チャンネルで放送される番組から、録画予約する番組を検索することができる。
【００１１】
前記番組特定情報は、放送開始日時を示す放送開始情報を含んで構成されており、前記特定手段は、前記放送開始情報が示す日時に放送が開始される番組を、録画予約する番組として特定することができる。
【００１２】
前記番組特定情報は、番組の内容を示す内容情報をさらに含んで構成されており、前記特定手段は、前記放送開始情報が示す日時に放送が開始される番組であって、前記内容情報が示す内容を有する番組を、録画予約する番組として特定することができる。
【００１３】
前記特定手段は、前記内容情報が示す情報を一定以上含むEPG情報を有する番組を、録画予約する番組として特定することができる。
【００１４】
本発明の一側面の情報処理方法は、テレビジョン放送の所定の番組の録画予約を制御する情報処理装置の情報処理方法において、番組の音声データまたは映像データから、番組特定情報を抽出する抽出ステップと、前記抽出ステップの処理で抽出された前記番組特定情報に基づいて、録画予約する番組を特定する特定ステップと、前記特定ステップの処理で特定された前記番組の録画予約を促す情報を提示する提示ステップと、前記特定ステップの処理で特定された前記番組の録画予約を受け付ける受付ステップとを含む。
【００１５】
本発明の一側面のプログラムは、テレビジョン放送の所定の番組の録画予約を制御する情報処理をコンピュータに実行させるプログラムにおいて、番組の音声データまたは映像データから、番組特定情報を抽出する抽出ステップと、前記抽出ステップの処理で抽出された前記番組特定情報に基づいて、録画予約する番組を特定する特定ステップと、前記特定ステップの処理で特定された前記番組の録画予約を促す情報を提示する提示ステップと、前記特定ステップの処理で特定された前記番組の録画予約を受け付ける受付ステップとを含む情報処理をコンピュータに実行させる。
【００１６】
本発明の一側面の情報処理装置、情報処理方法、またはプログラムにおいては、番組の音声データまたは映像データから、番組特定情報が抽出され、抽出された前記番組特定情報に基づいて、録画予約する番組が特定され、特定された前記番組の録画予約を促す情報が提示され、特定された前記番組の録画予約が受け付けられる。
【発明の効果】
【００１７】
本発明の一側面によれば、所定の番組の録画予約を簡単に行うことができる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の一側面の情報処理装置は、
テレビジョン放送の所定の番組の録画予約を制御する情報処理装置（例えば、図１のテレビジョン受像機１）において、
番組の音声データまたは映像データから、番組特定情報を抽出する抽出手段（例えば、図６の宣伝番組特定情報取得部３１）と、
前記抽出手段により抽出された前記番組特定情報に基づいて、録画予約する番組を特定する特定手段（例えば、図６の宣伝番組特定部３２）と、
前記特定手段により特定された前記番組の録画予約を促す情報を提示する提示手段（例えば、図６の表示制御部３３）と、
前記特定手段により特定された前記番組の録画予約を受け付ける受付手段（例えば、図６の録画予約受付部３４と録画予約実行部３５）と
を備える。
【００２０】
本発明の一側面の情報処理方法またはプログラムは、テレビジョン放送の所定の番組の録画予約を制御する情報処理装置の情報処理方法において、テレビジョン放送の所定の番組の録画予約を制御する情報処理をコンピュータに実行させるプログラムにおいて、
番組の音声データまたは映像データから、番組特定情報を抽出する抽出ステップ（例えば、図７のステップＳ１）と、
前記抽出ステップの処理で抽出された前記番組特定情報に基づいて、録画予約する番組を特定する特定ステップ（例えば、図７のステップＳ３）と、
前記特定ステップの処理で特定された前記番組の録画予約を促す情報を提示する提示ステップ（例えば、図７のステップＳ５）と、
前記特定ステップの処理で特定された前記番組の録画予約を受け付ける受付ステップ（例えば、図７のステップＳ７）と
を含む。
【００２１】
図１は、本発明を適用したテレビジョン受像機１とビデオレコーダ２の利用例を示している。
【００２２】
テレビジョン受像機１は、通常のテレビジョン受像機のように、例えばデジタルテレビジョン放送の放送波を受信し、それを再生して図示せぬディスプレイに表示する。
【００２３】
テレビジョン受像機１はまた、放送中の番組の音声や映像データから、番組の放送開始日時等の番組ＣＭで宣伝番組の紹介に使用される情報であって、宣伝番組を特定することができる所定の情報（以下、宣伝番組特定情報と称する）を抽出し、抽出した宣伝番組特定情報に基づいて、宣伝番組を特定する。
【００２４】
テレビジョン受像機１は、宣伝番組を特定することができたとき、その宣伝番組の録画予約を視聴者に促す情報を提示する。その提示に応じて宣伝番組の録画予約を受け付けると、テレビジョン受像機１は、ビデオレコーダ２に対して、その宣伝番組の録画予約を設定し、録画を実行させる。
【００２５】
例えば図２に示すような映像が表示される番組ＣＭが放送されているとき、その映像から、「素敵な宇宙旅行」の番組タイトルを示す情報や「あす  夜  ９じ」の放送開始日時を示す情報が、宣伝番組特定情報として抽出され、その宣伝番組特定情報に基づいて、「あす  夜  ９じ」に放送されるタイトルが「素敵な宇宙旅行」である番組が宣伝番組として特定される。
【００２６】
この宣伝番組が特定されると、例えば図３および図４に示すようなその宣伝番組の録画予約を促す情報（以下、予約可能情報と称する）が、番組ＣＭの映像に重畳して表示される。
【００２７】
ここでは、図３に示す予約ボタン１Ａがはじめに表示され、その予約ボタン１Ａが、ユーザにより選択されたとき、図４に示す録画予約受付画面１Ｂが表示される。
【００２８】
そして録画予約受付画面１Ｂの受付ボタン１Ｃが操作されると、番組「素敵な宇宙旅行」の録画予約が設定される。
【００２９】
図５は、テレビジョン受像機１の構成例を示している。
【００３０】
受信部１１は、放送経路を介して送信されてくるトランスポートストリームを受信し、受信制御部１９から指定された所定のトランスポートストリームをＴＳデコーダ部１２に供給する。
【００３１】
ＴＳデコーダ部１２は、受信部１１から供給されたトランスポートストリームからEPG (Electronic Program Guide)情報を抽出し、EPG情報記憶部１７に供給し、記憶させる。
【００３２】
ＴＳデコーダ部１２はまた、受信部１１から供給されたトランスポートストリームから、受信制御部１９により指定されたチャンネルの番組のデータを抽出し、A/Vデコーダ部１３に出力する。
【００３３】
A/Vデコーダ部１３は、ＴＳデコーダ部１２から入力される番組データを復号し、再生部１４に出力する。
【００３４】
再生部１４は、受信制御部１９の制御に従い、A/Vデコーダ部１３で復号された番組データを音声データと映像データとに分離する。
【００３５】
再生部１４は、分離した音声データを音声信号に変換し、音声出力部１５に出力するとともに、分離した映像データを映像信号に変換し、映像出力部１６に音声信号と同期して出力する。再生部１４は、分離した音声データおよび映像データを受信制御部１９に供給する。
【００３６】
再生部１４はまた、受信制御部１９から予約可能情報の表示要素情報としての画像データが供給された場合には、この画像データをA/Vデコーダ部１３からの映像データに重ねて映像信号に変換し、映像出力部１６に出力する。
【００３７】
音声出力部１５は、再生部１４から入力されるデジタル音声信号をそのまま、又は、アナログ音声信号に変換して外部のスピーカ（図示せず）に出力する。映像出力部１６は、再生部１４から入力されるデジタル映像信号をNTSC方式やPAL方式等に従い、アナログ映像信号に変換して外部のＣＲＴ等のディスプレイ（図示せず）に出力する。
【００３８】
入力受信部１８は、リモートコントローラ等からの操作指令を受信し、受信制御部１９に通知する。
【００３９】
受信制御部１９は、CPUと、トランスポートストリームの受信制御及び宣伝番組予約処理の制御プログラムが格納されているROMと、作業用記憶領域であるRAMとを有しており、制御プログラムに従い所定の処理を行う。受信制御部１９の構成は、この制御プログラムによる処理動作として、後述する。
【００４０】
時間管理部２０は、時間を管理しており、受信制御部１９からの時刻の問い合わせに対して、現在の時刻を通知する。ここで時刻は、年、月、日、時刻の情報を含んでいる。なお、この時間の管理は、トランスポートストリームに多重されたTDT(Time Date Table）をＴＳデコーダ部１２で抽出し、受信制御部１９を介して受け取り、このTDTを基に時間を計時したり、内蔵時計により現在の時間を計時するようにしてもよい。
【００４１】
通信部２１は、受信制御部１９の制御に従ってビデオレコーダ２と通信し、ビデオレコーダ２に、録画予約された宣伝番組の録画を実行させる。
【００４２】
図６は、図５の受信制御部１９の構成例を示している。
【００４３】
宣伝番組特定情報取得部（以下、取得部と略称する）３１は、再生部１４から供給される音声データや映像データから、宣伝番組特定情報を取得する処理を実行し、宣伝番組特定情報が取得できたとき、それを、宣伝番組特定部３２に供給する。
【００４４】
宣伝番組特定部３２は、EPG情報記憶部１７に記憶されているEPG情報を参照して、取得部３１から供給された宣伝番組特定情報を含むEPG情報を有する番組が存在するか否かを判定し、そのような番組を宣伝番組として特定する。
【００４５】
宣伝番組特定部３２は、宣伝番組が特定できたとき、宣伝番組の録画予約を促す予約可能情報を、表示制御部３３に供給したり、宣伝番組のチャンネル、放送開始終了時刻等の宣伝番組の録画予約に必要な情報（以下、録画予約実行情報と称する）を録画予約実行部３５に供給する。
【００４６】
表示制御部３３は、宣伝番組特定部３２から予約可能情報が供給されると、その予約可能情報の表示要素情報としての画像データを再生部１４に出力する。再生部１４は、受信制御部１９の表示制御部３３から供給されたこの画像データをA/Vデコーダ部１３から得られた映像データに重ねて映像信号に変換し、映像出力部１６に出力する。
【００４７】
録画予約受付部３４は、例えば表示制御部３３により表示された図４に示したような録画予約受付画面１Ｂを介した、宣伝番組への録画予約を受け付け、その旨を録画予約実行部３５に通知する。
【００４８】
録画予約実行部３５は、録画予約受付部３４から宣伝番組の録画予約が受け付けられた旨が通知されると、通信部２１を制御して、宣伝番組特定部３２から供給された録画予約実行情報に基づいて、ビデオレコーダ２に、宣伝番組の録画予約を設定する。
【００４９】
次に、テレビジョン受像機１の宣伝番組予約処理を、図７のフローチャートを参照して説明する。
【００５０】
ステップＳ１において、受信制御部１９の取得部３１は、再生部１４から供給された音声データや映像データから、宣伝番組特定情報を抽出する処理を行う。
【００５１】
具体的には、番組ＣＭでは、通常、宣伝番組のタイトル（図２の例では「素敵な宇宙旅行」）や放送開始日時（図２の例では、「あす  夜  ９じ」）の表示を含む映像や音声が出力されるので、取得部３１は、再生部１４から供給される音声データや映像データに対して、音声認識処理や文字パターン認識処理を行って、番組のタイトルや放送開始日時等の情報を構成する文字や言葉を認識し、番組のタイトルや放送開始日時等の取得を試みる。
【００５２】
なお放送開始日時の情報を構成する文字としては、「夜」、「今夜」、「今週」、「月」、「日」、「曜日」、「時」、「午前」、「午後」、「明日」、「元旦」、またはそれらの平仮名、カタカナ、若しくは一定の表記ゆれの範囲の文字が考えられる。
【００５３】
ステップＳ２において、取得部３１は、宣伝番組特定情報を抽出できたか否かを判定し、抽出できなかったと判定した場合、ステップＳ１に戻り、再生部１４からさらに供給される音声データや映像データから、宣伝番組特定情報を抽出する。
【００５４】
ステップＳ２で、宣伝番組特定情報を抽出できたと判定した場合、取得部３１は、ステップＳ３において、抽出した宣伝番組特定情報を、宣伝番組特定部３２に供給する。宣伝番組特定部３２は、供給された宣伝番組特定情報に基づいて、宣伝番組を特定する処理を行う。
【００５５】
具体的には、図８のフローチャートに示すような処理が行われる。すなわちステップＳ２１において、宣伝番組特定部３２は、取得部３１から供給された宣伝番組特定情報に放送開始日時を示す情報（以下、放送開始情報）が含まれており、その放送開始情報が示す日時から放送が開始される番組が存在するいか否かを、EPG情報記憶部１７に記憶されているEPG情報を参照して判定する。
【００５６】
なお宣伝番組は、通常、番組ＣＭと同じチャンネルで放送されるので、番組ＣＭが放送されているチャンネルで放送される番組を検索対象とすることができる。
【００５７】
また例えばNHK（商標）の総合チャンネルと教育チャンネルのように、関連するチャンネルが存在する場合、その関連チャンネルで放送される番組を検索対象とすることもできる。さらに全チャンネルの番組を検索対象とすることもできる。
【００５８】
ステップＳ２１で、放送開始情報が示す日時に放送が開始される番組が存在すると判定された場合、ステップＳ２２において、宣伝番組特定部３２は、宣伝番組特定情報に番組の内容を示す情報（以下、内容情報と称する）が含まれており、放送開始情報が示す日時に放送が開始される番組のうち、内容情報と同じ情報が、例えば一定以上EPG情報に含まれる番組が存在するか否かを判定する。
【００５９】
ステップＳ２２で、内容情報と同じ情報が一定量以上EPG情報に含まれる番組が存在すると判定された場合、処理は、ステップＳ２３に進む。例えば、内容情報が示す文字をタイトルに含む番組が存在する場合、処理は、ステップＳ２３に進む。
【００６０】
ステップＳ２３において、宣伝番組特定部３２は、内容情報と同じ情報が一定量以上EPG情報に含まれる番組を、宣伝番組として特定する。
【００６１】
ステップＳ２１で、放送開始情報が示す日時に放送が開始される番組が存在しないと判定されたとき若しくはステップＳ２２で、内容情報と同じ情報が一定量以上EPG情報に含まれる番組が存在しないと判定されたとき、またはステップＳ２３で、宣伝番組が特定されたとき、宣伝番組特定処理は終了し、処理は、図７のステップＳ４に進む。
【００６２】
ステップＳ４において、宣伝番組特定部３２は、宣伝番組を特定することができたか否かを判定し、特定することができなかったと判定した場合（すなわち、図８のステップＳ２１，Ｓ２２の処理でNOの判定がなされたとき）、ステップＳ１に戻り、それ以降の処理が同様に行われる。
【００６３】
ステップＳ４で、宣伝番組が特定できたと判定した場合（すなわち、図８のステップＳ２３で、宣伝番組が特定されたとき）、宣伝番組特定部３２は、ステップＳ５において、その宣伝番組の録画予約を促す予約可能情報を、表示制御部３３に供給する。その結果この例の場合図３に示す予約ボタン１Ａがはじめに表示され、その予約ボタン１Ａが、ユーザによる図示せぬ操作部が操作されて選択されたとき、図４に示す録画予約受付画面１Ｂが表示される。
【００６４】
ステップＳ６において、録画予約受付部３４は、例えば図４に示した録画予約受付画面１Ｂの受付ボタン１Ｃが操作され、入力受信部１８から、宣伝番組の録画予約の指令が入力されたか否かを判定し、その指令が入力されたと判定した場合、ステップＳ７において、録画予約を受け付け、その旨を、録画予約実行部３５に通知する。録画予約実行部３５は、宣伝番組特定部３２から供給された録画予約実行情報に基づいてビデオレコーダ２を動作させ、宣伝番組の録画予約を実行する。
【００６５】
具体的には録画予約実行部３５は、ビデオレコーダ２の電源を入れ、録画予約情報の放送日時などの情報を基に宣伝番組の録画予約を行い、ビデオレコーダ２の電源を切る。
【００６６】
その後、処理は、ステップＳ１に戻り、それ以降の処理が同様に実行される。ステップＳ６で、例えば図４に示した録画予約受付画面１Ｂのキャンセルボタン１Ｄが操作されて、宣伝番組の録画予約の指令が入力されなかったと判定された場合も、処理は、ステップＳ１に戻る。
【００６７】
以上のように宣伝番組の録画予約を自動的に行うようにしたので、視聴者は、番組ＣＭに重畳して表示される図３または図４の表示から、宣伝番組の録画予約が可能であることを認識することができるとともに、その録画予約を簡単に行うことができる。放送局側とっては放送局側では何ら処理する必要がないにも係らず、宣伝番組の視聴の機会を増やすことができる。
【００６８】
また以上においては、宣伝番組が特定されたとき、図３に示したような小さな予約ボタン１Ａが番組の映像に重畳されて表示されるようにしたが、その表示は、ユーザに宣伝番組の録画予約が可能であることを認知させることができれば他のものでもよく、例えば星印のようなマークが表示されるようにすることもできる。またこの表示を、所定の時間操作されなかった場合は消去するようにすることもできる。このように予約可能情報を、番組の視聴の妨げにならないように提示することにより、間違った番組を宣伝番組に特定した場合でも、視聴者の不都合を最小限に抑えることができる。予約可能情報を、音声で出力することもできる。
【００６９】
なお図３に示す予約ボタン１Ａが表示されず、図４に示す録画予約受付画面１Ｂが表示されるようにすることもできる。例えば宣伝番組として複数の番組が特定されることも想定されるが、そのような場合、宣伝番組として特定された複数の番組の情報のリストからなる録画予約受付画面１Ｂを表示することもできる。
【００７０】
また以上のように番組の映像や音声データを解析して宣伝番組特定情報を抽出し、抽出した宣伝番組特定情報に基づいて宣伝番組を特定するようにしたので、番組ＣＭではなく、例えばバラエティ番組で、出演者が、口頭やテロップを用いてある番組を紹介している場合であっても、その番組を宣伝番組として特定し、その番組の録画予約を受け付けることもできる。
【００７１】
なお以上においては、いま放送されている番組の音声データや映像データから宣伝番組を特定し、録画予約を行う場合を例として説明したが、録画された番組の音声データや映像データから宣伝番組を特定し、録画予約を行うこともできる。この場合、図８のステップＳ２１での放送開始情報が示す日時に放送が開始される番組が存在するか否かの判定は、例えば「あす  夜  ９じ」のように具体的な放送日時が示されない放送開始情報が得られた場合、録画日時を起点として放送開始日時を設定する必要がある。「あす  夜  ９じ」の場合、録画日の翌日の日が放送開始日となる。
【００７２】
また以上においては、放送開始情報が示す日時に放送が開始する番組が存在すると判定しても（図８のステップＳ２１）、内容情報と同じ情報が一定量以上EPG情報に含まれる番組が存在するか否かを判定し、EPG情報で宣伝番組の特定を再度確認したが、その処理を設けなくても、放送開始情報だけで宣伝特定情報を特定することもできる。
【００７３】
またEPG情報での再確認処理としては、内容情報と同じ情報が一定量以上EPG情報に含まれる番組が存在するか否かを判定することの他、例えば番組ＣＭで紹介されるような番組は、通常、一定以上の放送時間(例えば、１時間以上の放送時間)を有するものと考えら得るので、放送時間が、一定以上短い場合（例えば、１５分）、その番組を宣伝番組として特定しないようにすることもできる。
【００７４】
また以上においては、デジタル放送を前提とし、EPG情報を放送波から抽出するものとしたが、ネットワークを介して所定のサーバからEPG情報を取得するようにすることもできる。アナログ放送でも本発明を適用することもできる。
【００７５】
また以上においては宣伝番組が特定され、所定の操作がなされたとき宣伝番組の録画予約を受け付けるようにしたが、宣伝番組と同じ時間帯に他の番組の録画予約が既になされている場合に、その旨を表示し、例えば先になされた録画予約のキャンセルを促すようにすることもできる。
【００７６】
また以上においては宣伝番組予約処理（図７）が実行されるタイミングについては言及しなかったが、テレビジョン受像機１の電源投入と同時に開始されるようにすることもできるし、ユーザの操作部に対する所定の操作によりその処理の実行または停止を制御可能にすることもできる。
【００７７】
また以上においてはテレビジョン受像機１が宣伝番組予約処理を実行するようにしたが、ビデオレコーダ２がテレビジョン放送を受信することができる場合、ビデオレコーダ２が宣伝番組予約処理を実行することもできる。
【００７８】
また上述した宣伝番組予約処理は、放送局側では何ら処理を行う必要がないが、この宣伝番組予約処理により宣伝番組の視聴の機会が増えるといった大きなメリットがあることから、宣伝番組予約処理によりより正確に宣伝番組が特定されるように、放送局側は、番組データに、宣伝番組の情報を示すQR（Quick Response）コードを埋め込み、テレビジョン受像機１で、そのQRコードを検出し、QRコードで示される情報に基づいて宣伝番組を特定できるようにすることもできる。
【００７９】
図９は、上述した一連の処理をプログラムにより実行するコンピュータのハードウェアの構成例を示すブロック図である。
【００８０】
コンピュータにおいて、CPU（Central Processing Unit）２０１，ROM（Read Only Memory）２０２，RAM（Random Access Memory）２０３は、バス２０４により相互に接続されている。
【００８１】
バス２０４には、さらに、入出力インタフェース２０５が接続されている。入出力インタフェース２０５には、キーボード、マウス、マイクロホンなどよりなる入力部２０６、ディスプレイ、スピーカなどよりなる出力部２０７、ハードディスクや不揮発性のメモリなどよりなる記憶部２０８、ネットワークインタフェースなどよりなる通信部２０９、磁気ディスク、光ディスク、光磁気ディスク、あるいは半導体メモリなどのリムーバブルメディア２１１を駆動するドライブ２１０が接続されている。
【００８２】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【００８３】
コンピュータ（CPU２０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア２１１に記録して、あるいは、ローカルエリアネットワーク、インターネット、デジタル衛星放送といった、有線または無線の伝送媒体を介して提供される。
【００８４】
そして、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【００８５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【図面の簡単な説明】
【００８６】
【図１】本発明を適用したテレビジョン受像機１とビデオレコーダ２の利用例を示す図である。
【図２】番組ＣＭの映像の例を示す図である。
【図３】予約可能情報の表示例を示す図である。
【図４】予約可能情報の他の表示例を示す図である。
【図５】図１のテレビジョン受像機１の構成例を示すブロック図である。
【図６】図５の受信制御部１９の構成例を示すブロック図である。
【図７】宣伝番組予約処理を説明するフローチャートである。
【図８】図７のステップＳ３の宣伝番組特定処理の詳細を説明するフローチャートである。
【図９】パーソナルコンピュータの構成例を示すブロック図である。
【符号の説明】
【００８７】
１  テレビジョン受像機，  ２  ビデオレコーダ，  １７  EPG情報記憶部，  １９  受信制御部，  ３１  宣伝番組特定情報取得部，  ３２  宣伝番組特定部，  ３３  表示制御部，  ３４  録画予約受付部，  ３５  録画予約実行部
【図１】
2008288703.tif 000003
【図２】
2008288703.tif 000004
【図３】
2008288703.tif 000005
【図４】
2008288703.tif 000006
【図５】
2008288703.tif 000007
【図６】
2008288703.tif 000008
【図７】
2008288703.tif 000009
【図８】
2008288703.tif 000010
【図９】
2008288703.tif 000011